【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
液体を投与するための液体ディスペンサーで、以下を含んでなる：
ディスペンサーケース；
液体の複数の処方を貯蔵するのに適した収納容器；
前記ディスペンサーケースに包囲されたチューブで、前記チューブは、第１の折り曲げ点、第２の折り曲げ点、入口端、および出口端を有し、前記入口端は、収納容器に配置され、前記出口端は出口オリフィスに接続されており、
前記チューブは、自在な材料で作られ、前記チューブはその長さに沿って前記第１の折り曲げ点および前記第２の折り曲げ点の各々で折り曲げ可能であり、折り曲げ点の角度は、チューブ内腔を圧縮するように動作可能であり、それによって、液体の流れを可能にするか、または防止し、および
第１の折り曲げ点及び第２の折り曲げ点の間のチューブのセグメントは、処方室を囲む圧迫する区分で、前記処方室は、前記液体の少なくとも１つの処方を含み；
作動組立体で、圧迫する区分に対して圧縮され、処方室内に囲まれた液体の用量を前記出口オリフィスに対して投与されるようにする。
【請求項２】
請求項１の液体ディスペンサーで、
第１の折り曲げ点は第１の関節接合折り曲げ点で、
第２の折り曲げ点は第２の関節接合折り曲げ点である。
【請求項３】
前記作動組立体は、さらにアンビルを備え、前記アンビルは圧迫する区分に対して押し込まれることができる、請求項１または２の液体ディスペンサー。
【請求項４】
前記作動組立体がプッシュボタンの低部に取付けられた第１のバネを有するプッシュボタンを含んでなる、請求項１〜３の何れかの液体ディスペンサー。
【請求項５】
前記作動組立体がさらに、第１のヒンジ片、および第２のヒンジ片を備え、前記第１のヒンジ片が、圧迫する区分に対して平行に並べられ、前記第２のヒンジ片が第１のバネ部材に取付けられていて、前記アンビルが第２のヒンジ片に取付けられている、請求項３または４の液体ディスペンサー。
【請求項６】
前記作動組立体は、さらに前記プッシュボタンに取付けられた片持ち（カンチレバー）板を備え、前記片持ち板は、拡大部分を有する片持ち板開口部を有し；
前記作動組立体はさらに、第１のヒンジ片および第２のヒンジ片を備え、前記第１のヒンジ片は、前記圧迫する区分に対して平行に並べられ、前記第２のヒンジ片は第１のバネ部材に取付けられ；
前記プッシュボタンを押すと、第２の旋回軸が片持ち板開口部の拡大部を通過する前に、第１ヒンジ片および片持ち板開口部の第２ヒンジ片の滑りを起こし、第２旋回軸、第２ヒンジ片および第１ヒンジ片の再配置をもたらし、前記チューブの折り曲げが第１の関節接合折り曲げ点において変化し、処方室内の排出される液体の投与を許容する、請求項４の液体ディスペンサー。
【請求項７】
収納容器がディスペンサーケースに取付けられた滴下器ボトルを備え、滴下器ボトルは、複数の液体投与量を含み、チューブの入口端部が、滴下器ボトルに含まれる液体に接続している、請求項１〜６の何れかの液体ディスペンサー。
【請求項８】
前記収納容器が、貯槽、および貯槽に付属する収縮バッグを備え、前記収縮バッグは、複数の液体処方を含む、請求項１〜６の何れかの液体ディスペンサー。
【請求項９】
前記収納容器が、以下からなる：
ディスペンサーケースに不可欠の貯槽で、前記貯槽は複数の液体処方を含み、
チューブ、入口、容器端部を有するアクセサリー・チューブで、容器端部は、貯槽のヘッド空間に流動的に接続され、前記ヘッド空間は、貯槽に含まれる液体に流動的に接続され、
アクセサリー・チューブの入口端部近くに付属する少なくとも１つの小液滴があり、小液滴は、チューブ内腔とヘッド空間に接続し、
ここで、チューブ内腔およびヘッド空間は空気または不活性ガスで充填され、液体を収納容器から排出すると、小液滴を収納容器端部に向かってチューブ内腔内を動かして取り出し、前記小液滴は、チューブ内腔およびヘッド空間をシールし続ける、
請求項１〜６の何れかの液体ディスペンサー。
【請求項１０】
前記収納容器が、ディスペンサーケースと一体の貯槽を備え、前記貯槽は液体の複数の処方を含み、
ディスペンサーケースの周囲には外部カバーがあり、当該外部カバーおよびディスペンサーケースは、らせん状ベント通路を包囲し、前記らせん状ベント通路は、外側および内側端部を有し、当該内側端部は、貯槽のヘッド空間に流動的に接続し、当該ヘッド空間は、貯槽の液体に流動的に接続し、
らせん状ベント通路に付属する少なくとも１つの小液滴があり、小液滴は、当該ベント通路およびヘッド空間をシールし、
ここで、当該ベント通路およびヘッド空間は、空気または不活性ガスで充填され、
液体を収納容器から排出すると、小液滴を内側端部に向かって小液滴を動かして取り出し、前記小液滴は、前記ベント通路およびヘッド空間をシールし続ける、
請求項１〜６の液体ディスペンサー。
【請求項１１】
前記収納容器が、ディスペンサーケースと一体の貯槽を備え、前記貯槽が、複数の液体処方を含み、ここで、
前記液体ディスペンサーが、基礎を含み、前記基礎がらせん状の溝を有し、前記らせん状の溝は、ベントパス（通気路）、外部端、内部端を有し、前記内部端は、貯槽のヘッド空間に流動的に接続され、前記ヘッド空間は、貯槽内の液体に流動的に接続され、
前記外部端に近接するらせん状通気路に配置される少なくとも１つの小液滴が存在し、当該小液滴は、前記通気路及び前記ヘッド空間をシールし、
ここで、前記通気路およびヘッド空間は、空気または不活性ガスで充填され、収納容器からの液体を排出すると、小液滴が前記内部端に向かって通気路内を移動し、当該小液滴は、前記通気路およびヘッド空間をシールし続ける、
請求項１〜６の何れかの液体ディスペンサー。
【請求項１２】
さらに、前記液体ディスペンサーの頂部に配置された、延長された覆いを備え、
前記液体ディスペンサーは、出口オリフィスの前部にあるヒトの眼に液体を注入するのに用いられ、
前記延長された覆いは、ヒトの眼がプッシュボタンの圧迫を見るのを妨げる、
請求項１〜１１の何れかの液体ディスペンサー。
【請求項１３】
前記作動組立体がプッシュボタンの低部に取付けられた第１のばね部材を有するプッシュボタンを含んでなり、さらに、前記ディスペンサーケースの頂部に配置されたフリップ（はじき）閉止蓋を備え、ここで、当該フリップ閉止蓋は、上向きまたは下向きに配置されることが可能であり、前記液体ディスペンサーは、出口オリフィスの前部に配置されたヒトの眼に液体を滴下するのに用いられ、
前記フリップ閉止蓋は、上向きのときに、プッシュボタンが圧迫されるのをヒトの眼が見るのを妨げる、
請求項１〜１１の何れかの液体ディスペンサー。
【請求項１４】
出口オリフィスから排出された前記液体が、ジェット流の単一の液滴または液滴の集合体を形成し、重力補助の軌跡にしたがう、
請求項１〜１３の何れかの液体ディスペンサー。
【手続補正２】
【補正対象書類名】明細書
【補正対象項目名】００１２
【補正方法】変更
【補正の内容】
【００１２】
本発明の作動組立体またはポンプヘッドは、そのデザインが変化し、ここに２つの基本的構造が開示される。しかし乍、前記作動組立体の変更は、液体ディスペンサーの他の部品も同様に、中心のコンセプトが同じである限りにおいて本発明の範囲に含まれる。同様に、排出される液体を収めるための収納容器も異なるデザインを有し、幾つかのバリエーションがあり、それには、収納容器がディスペンサーケースと一体になるか、または分離し得る場合も含まれる。
【手続補正３】
【補正対象書類名】明細書
【補正対象項目名】００１５
【補正方法】変更
【補正の内容】
【００１５】
【図１ａ】操作前の位置における液体ディスペンサーの第１の態様における透視図である。
【図１ｂ】操作前の位置における液体ディスペンサーの第１の態様における断面図である。
【図１ｃ】操作前の位置における液体ディスペンサーの第１の態様における前面図である。
【図２ａ】操作の第１段階における液体ディスペンサーの第１の好ましい態様の断面図である。
【図２ｂ】図２ａに示されたようなＢＢ’の観測図を示す。
【図２ｃ】図２ａに示されたようなＣＣ’の観測図を示す。
【図３】操作の第２段階における液体ディスペンサーの第１の好ましい態様の断面図である。
【図４】操作の第３段階−排出段階における液体ディスペンサーの第１の好ましい態様の断面図である。
【図５ａ】操作の第１段階を示すフリップ閉止を含む交互ポンプヘッドデザインを伴なう、本発明の第２の好ましい態様の断面図である。
【図５ｂ】操作の第２段階を示すフリップ閉止を含む交互ポンプヘッドデザインを伴なう、本発明の第２の好ましい態様の断面図である。
【図６ａ】第３段階のポンプ操作が示された、本発明の第２の好ましい態様の断面図である。
【図６ｂ】第４段階のポンプ操作が示された、本発明の第２の好ましい態様の断面図である。
【図７】上向き傾向にある出口オリフィスを伴なう、本発明の第２の好ましい態様の断面図である。
【図８】ディスペンサーに取り付けられた従来の滴下器ボトルを含む液体ディスペンサーの部分断面図である。
【図９】滴下される液体用の外部収納容器として作用する、ノズルを備えた従来型の滴下器ボトルを有する液体ディスペンサーの断面図である。
【図１０】液体ディスペンサー用の一体収納容器の第１のデザインの断面図を示す。
【図１１】折りたためるバッグを用いる液体ディスペンサー用の一体収納容器の第２のデザインの断面図である。
【図１２】液体ディスペンサー用と一体の収納容器の第３のデザインの断面図を示し、当該第３のデザインは、液体が排出されるに連れて、一体収納容器内の大気圧の回復を許容する。
【図１３】液体ディスペンサー用の一体収納容器の第４のデザインの断面図を示し、当該第４のデザインは、液体が排出されるに連れて、一体収納容器内の大気圧の回復を許容する。
【図１４】液体ディスペンサー用の一体収納容器の第５のデザインの断面図、および液体が排出されるに連れて、一体収納容器内の大気圧の回復を許容するのを助けるらせん状溝の逆にされた平面図を示す。
【図１５ａ】取外し可能な収納容器を備えたディスペンサーを示す。
【図１５ｂ】取外し可能の収納容器を収容可能のディスペンサーケースを示す。
【図１５ｃ】取外し可能の収納容器を示す。
【図１６ａ】液体ディスペンサーの第１の態様の外輪郭を示す。
【図１６ｂ】液体ディスペンサーのもう１つの態様の外輪郭を示し、滴下される液体用の収納容器として作用する従来型の滴下器ボトルを有する態様を伴なう。
【図１７ａ】滴下器ボトルを圧迫するための第１の再充填アクセサリーの断面図で、そのアクセサリーは、ディスペンサーに液体を注入するために、液体ディスペンサーに装填される。
【図１７ｂ】滴下器ボトルを圧迫するための第１の再充填アクセサリーの部分平面図で、そのアクセサリーは、ディスペンサーに液体を注入するために、液体ディスペンサーに装填される。
【図１７ｃ】滑り板の頂部図を示す。
【図１８ａ】滴下器ボトルを圧迫するための第２の再充填アクセサリーを示し、そのアクセサリーは、ディスペンサーに液体を注入するために、液体ディスペンサーに装填される。再充填アクセサリーは、その非操作位置に示される。
【図１８ｂ】滴下器ボトルを圧迫するための第２の再充填アクセサリーを示し、そのアクセサリーは、ディスペンサーに液体を注入するために、液体ディスペンサーに装填される。再充填アクセサリーは、その操作位置に示される。
【図１９ａ】ディスペンサーに取付けられたオーバーキャップ閉止の断面図を示し、オーバーキャップは取付けられていない。
【図１９ｂ】ディスペンサーに取付けられたオーバーキャップ閉止の断面図を示し、オーバーキャップは取付けられている。
【図２０ａ】排出される液体を目標に定めるための第１目標アクセサリーを、前方から見た図である。
【図２０ｂ】排出される液体を目標に定めるための第１目標アクセサリーを、後方から見た図である。
【図２１】排出される液体を目標に定めるための第２目標アクセサリーを示す。
【手続補正４】
【補正対象書類名】明細書
【補正対象項目名】００２５
【補正方法】変更
【補正の内容】
【００２５】
滴下器ボトル３４は、液体ディスペンサー１用に任意の構造を有する。滴下器ボトル３４を有すると、液体ディスペンサー１用の十分な供給を保証する。代替的に、ディスペンサーケース１０は、滴下器ボトル３４またはその他の再充填機構を提供する構造を持たない。図１０から１４に示されるように、液体ディスペンサー１だけが一体の収納容器を含む。そのような一体の収納容器は、送液される液体を余分に供給することを要しない。同様に、保持タンク２０は、液体ディスペンサー１のデザインから省略され、滴下器ボトル３４または他の取外し可能の容器は、送液される液体の直接源として働く。そのようなデザインは、図９に示される。一般的に、収納容器の構造−送液される液体源は、著しく変化し得る。液体ディスペンサー１用の液体を供給する一般的目的が満足される限り、如何なる特定のデザインも受容される。
【手続補正５】
【補正対象書類名】明細書
【補正対象項目名】００６３
【補正方法】変更
【補正の内容】
【００６３】
図１０は、液体ディスペンサー用と一体の収納容器の第１のデザインの断面図を示す。一体の収納容器はディスペンサーケース１０の除去不能の部品で、滴下器ボトルのようにそれに取り付けられた再充填機構を好ましくは具備しない。図１０〜１４は、一体の収納容器１２５を組み入れるいくつかのデザインを図解する。図１０は、収納容器１２５を示し、それは、チューブ１１の入口端１９を介して液体１２７でポンプヘッドに供給する。ここで、収納容器１２５のデザインは、好ましくは図１〜４に示されたポンプ機構に用いられる。しかし乍ら、このデザインは、もしベントチューブ９３が加えられ収納容器１２５に伸びると、図５及び６に示された態様に用いられ得る。
【手続補正６】
【補正対象書類名】明細書
【補正対象項目名】００６４
【補正方法】変更
【補正の内容】
【００６４】
図１１は、排出される液体用と一体の収納容器の第２のデザインの断面図を示し、それは排出される液体を保持する折畳みできるバッグ１３１を組入れる。折畳みできるバッグ１３１は、区画室１３０内に囲まれ、チューブ１１に接続される。折りたたみ可能のバッグ１３１は、好ましくは、空気や液体を透過させない材料で出来ている。収納容器のデザインは、折りたたみ可能のバッグ１３１の不透過故に、大気中のコンタミの心配が排除されるので、液体がディスペンサーに用いられる防腐剤を含まないことを可能にする。図１１はまた、収納容器端部１３３を有する（図５及び６に示されたように）ベントチューブ９３を示す。折り畳み式バッグ１３１は液体をポンプ機構にフィードするので、空気がベントチューブ９３を介して収納容器端１３３から区画室に入り、折り畳み式バッグ１３１の周囲の空気圧の低下を妨げる。
【手続補正７】
【補正対象書類名】明細書
【補正対象項目名】００６５
【補正方法】変更
【補正の内容】
【００６５】
図１２は、液体ディスペンサー用と一体の収納容器の第３のデザインの断面図を示し、第３のデザインは、液体が排出されるにつれて、一体の収納容器内の空気圧の復旧を許容する。図１２に示されるのは、上部の区画室１４１に囲まれたチューブ溝１４５を有する飾りチューブ１４２を利用する伸びたベント通路である。飾りチューブ１４２は、チューブ溝１４５の入口端１４３に１つかそれ以上の液体の小ビーズを組み込む。飾りチューブ１４２のチューブ溝１４５は、排出される液体１４８の上部のヘッド空間の収納容器端１４４で終了し、液体ビーズ１４７が通る連続通路を形成する。液体１４８はチューブ１１を介してディスペンサーから送液されるので、ヘッド空間１４０とチューブ溝１４５に部分真空が作られ、それが収納容器端部１４４に向かってチューブ溝１４５に沿って液体ビーズ１４７を引っ張る。これらの液体のビーズ１４７は、障害として働くことによって、液体１４８への大気からの夾雑物の通路を防ぎ、防腐剤がなくても液体１４８が送液されるのを可能にする。ヘッド空間１４０およびチューブ溝１４５は、空気、窒素、またはその他の不活性ガスを含み得る。飾りチューブ１４２は、その長さを増やすために、上部区画室１４１内に好ましくは螺旋状に収納され、液体の小ビーズ１４７の前で著しい容積の送液される液体１４８がヘッド空間１４０に進入する。
【手続補正８】
【補正対象書類名】明細書
【補正対象項目名】００６６
【補正方法】変更
【補正の内容】
【００６６】
図１３は、液体ディスペンサー１用と一体の収納容器の第４のデザインの断面図を示し、第４のデザインは、液体が送液されるにつれて一体の収納容器内の大気圧への復旧を許容する。図１３を参照して螺旋状のベント配置が示され、それはディスペンサーケース１０および外側カバー１５１の周辺の周囲を走る螺旋状スロット１５２を含み、組み立てるときに、２つの部品が包囲された螺旋状のベント通路１５０を規定するようにされる。螺旋状ベント通路１５０は、外端部１５３および内端部１５４を有し、当該内端部１５４は、肘部（エルボー）１５６の手段によって液体１５８上のヘッド空間１５７に接続される。当該ヘッド空間１５７、エリボー１５６および螺旋状ベント通路１５０は空気、窒素、またはその他の幾らかの不活性ガスの何れかを含む。螺旋状ベント通路１５０の外側端部１５３に極めて接近して、１つかそれ以上の液体の小ビーズ１５５が添加され、それは螺旋状ベント内のガスがディスペンサーの外側の環境空気と接することから隔離する。液体１５８はその上に搭載されたポンプへチューブ１１を介して収納容器から引張られるから（図１３には示されず）、液体のビードまたはビーズ１５５は螺旋状ベント通路に沿って、捕捉された空気、窒素、またはその他の不活性ガスを介して引張られ、ヘッド空間１５７、エルボー１５６およびベント通路１５０内の真空の形成を妨げる。チューブは、不透過を保証するために螺旋状ベント通路１５０に組入れられる。
【手続補正９】
【補正対象書類名】明細書
【補正対象項目名】００６７
【補正方法】変更
【補正の内容】
【００６７】
図１４の左には、液体ディスペンサー用と一体の収納容器の第５のデザインの断面図を示した。図１４の右は、螺旋状溝１６３の逆平面図を示す。点ＰおよびＰ’は断面図の指示線として働く。図１４に示されたものは図１３に示されたものと類似する。図１４において、ベント通路はディスペンサーケース１０のベースに配置された螺旋溝１６３として配置され、そのベースは封止板１６７によって覆われる。螺旋溝１６３の一端は、封止板１６７を突き抜ける穴１６４と一致する。螺旋溝１６３の内側は、直立したパイプ１６５で止まり、それは封止板１６７に直立したパイプ１６５の溝と螺旋溝１６３が連続ベント通路を形成するように取付けられ、そのベント通路は、内部収納容器内の液体１６１の上のヘッド空間１６３内のパイプ１６５の頂部で終わる。螺旋溝１６３、直立パイプ１６５および送液される液体の上部のヘッド空間１６０は空気、窒素または他の不活性ガスが充填される。そのような気体は、液体１６１が排出されたときに、ヘッド空間１６０内の大気圧を復旧するために供される。穴１６４の近傍の螺旋溝１６３には液体の小ビードまたはビーズ１６６がある。液体の小ビードまたはビーズ１６６は、螺旋状溝の１６３内の不活性ガスを捕捉し、外部の空気から不活性ガスを分離する。液体のビーズ１６６は、チューブ１１を介してディスペンサーによって排出される液体１６１と協力して螺旋状溝１６３に沿って引っ張られる。
【手続補正１０】
【補正対象書類名】明細書
【補正対象項目名】００７０
【補正方法】変更
【補正の内容】
【００７０】
図１６ａおよび１６ｂは、液体ディスペンサーの２つの態様の外側の輪郭を示す。図１６ａに示されるのは、ディスペンサーケース２００の基本的な外側形体であり、送液される液体は、一体の収納容器に囲まれる。代わりに、図１６ｂに示したように、従来型の滴下器ボトル２０２は逆さであり得、ディスペンサーケース２０１の頂部に配置され、送液される液体を供給する。